(57)【要約】ガラスリボン（２２）の処理システム、装置、および、方法を開示する。ガラスリボンを、搬送部装置および引張装置（７２）を含む搬送装置（３２）に供給する。搬送部装置は、上流側から下流側への進行主平面（Ｐ）を確立する。引張装置（７２）は下流側に位置して、引張力を、ガラスリボン（２２）に加えて、ガラスリボンを、第１、第２、および、第３の曲がり部（１００、１０２、１０４）を含む進行経路に沿って、更に、第３の位置の下流側の位置から引張装置（７２）までは進行主平面へと搬送する。第１、第２、および、第３の曲がり部の少なくとも１つは、ガラスリボンの表面に応力を加えて、ガラスリボンを平坦にする。第３の位置でのガラスリボンの粘度は、第１の位置でのガラスリボンの粘度より高い。
2021501114.tif 000002
【特許請求の範囲】
【請求項１】
ガラスリボン処理方法において、
ガラスリボンを、供給装置から搬送装置の上流側に供給する工程であって、前記搬送装置は、前記上流側の反対側である該搬送装置の下流側に位置する引張装置、および、前記上流側から前記下流側への進行主平面を確立する搬送部装置を有するものである工程と、
引張力を、前記引張装置を用いて、前記ガラスリボンに加えて、該ガラスリボンを進行経路に沿って連続して搬送する工程であって、
前記進行経路は、
前記上流側と前記引張装置の間の第１の位置で、前記進行主平面に対して凸状のカーブを画定する第１の曲がり部と、
前記第１の位置と前記引張装置の間の第２の位置で、前記進行主平面に対して凹状のカーブを画定する第２の曲がり部と、
前記第２の位置と前記引張装置の間の第３の位置で、前記進行主平面に対して凸状のカーブを画定する第３の曲がり部と
を含むものであり、
前記第３の位置と前記進行主平面の間の垂直距離は、前記第１の位置と該進行主平面の間の距離より長く、
更に、前記進行経路は、前記第３の位置の下流側の位置から前記引張装置まで、前記進行主平面に位置するものである工程と
を含む方法。
【請求項２】
前記第１、第２、および、第３の曲がり部の少なくとも１つが、前記ガラスリボンの表面に応力を加えて、該ガラスリボンを平坦化するものである、請求項１に記載の方法。
【請求項３】
前記ガラスリボンの前記第１の位置での粘度は、該ガラスリボンの前記第３の位置での粘度と異なるものである、請求項２に記載の方法。
【請求項４】
前記ガラスリボンの前記第１の位置での前記粘度は、１×１０８ポアズ以下であり、該ガラスリボンの前記第３の位置での前記粘度は、１×１０８ポアズ以上である、請求項３に記載の方法。
【請求項５】
前記第１の曲がり部は、少なくとも部分的には、前記ガラスリボンと、前記搬送装置に含まれた第１の曲げ具との相互作用によって生じるものである、請求項１から４のいずれか１項に記載の方法。
【請求項６】
前記第１の曲がり部は、更に、少なくとも部分的には、前記ガラスリボンに作用する重力によって生じるものである、請求項５に記載の方法。
【請求項７】
前記第１の曲げ具は、前記進行主平面の上方に位置するベアリング面を含むものであり、前記ガラスリボンは、該進行主平面の上方の前記ベアリング面に接触し、該第１の曲げ具の直ぐ下流側の該進行主平面に向かって進行するものである、請求項６に記載の方法。
【請求項８】
前記第２の曲がり部は、少なくとも部分的には、前記ガラスリボンと、前記搬送装置に含まれた第２の曲げ具との相互作用によって生じるものである、請求項５に記載の方法。
【請求項９】
前記第２の位置は、前記第１の曲げ具と前記第２の曲げ具の間である、請求項８に記載の方法。
【請求項１０】
前記第２の曲がり部は、更に、少なくとも部分的には、前記ガラスリボンを前記第１の曲げ具と前記第２の曲げ具の間の前記進行主平面に向けるように該ガラスリボンに作用する重力によって生じるものである、請求項９に記載の方法。
【請求項１１】
前記第３の曲がり部は、少なくとも部分的には、前記ガラスリボンと、前記搬送装置に含まれた第３の曲げ具との相互作用によって生じるものである、請求項８に記載の方法。
【請求項１２】
前記ガラスリボンを供給する工程は、該ガラスリボンを、垂直方向に前記供給装置から前記上流側へ向ける工程を含むものである、請求項１から１１のいずれか１項に記載の方法。
【請求項１３】
前記ガラスリボンを供給する工程は、更に、該ガラスリボンを、前記垂直方向から前記上流側へ向きを変える工程を含むものである、請求項１２に記載の方法。
【請求項１４】
ガラスリボン処理システムにおいて、
搬送装置を
含み、
前記搬送装置は、
上流側から前記上流側の反対側である下流側への進行主平面を確立する搬送部装置と、
前記下流側に位置し、ガラスリボンを進行経路に沿って搬送する引張装置と、
前記上流側に近接した第１の曲げ具と、
前記第１の曲げ具と前記下流側の間の第２の曲げ具であって、前記第２の曲げ具と前記進行主平面の間の垂直距離は、該第１の曲げ具と該進行主平面の間の垂直距離より長いものである第２の曲げ具と、
前記第２の曲げ具と前記下流側の間の第３の曲げ具であって、前記第３の曲げ具と前記進行主平面の間の垂直距離は、該第２の曲げ具と該進行主平面の間の垂直距離より長いものである第３の曲げ具と
を含むものであり、
前記第１、第２、および、第３の曲げ具は、前記進行経路を確立するものであり、該進行経路は、
前記上流側と前記引張装置の間の第１の位置で、前記進行主平面に対して凸状のカーブを画定する第１の曲がり部と、
前記第１の位置と前記引張装置の間の第２の位置で、前記進行主平面に対して凹状のカーブを画定する第２の曲がり部と、
前記第２の位置と前記引張装置の間の第３の位置で、前記進行主平面に対して凸状のカーブを画定する第３の曲がり部と
を含み、
更に、前記進行経路は、前記第３の位置の下流側の位置から前記引張装置まで、前記進行主平面に位置するものであるシステム。
【請求項１５】
ガラスリボンを処理する曲げ具アセンブリにおいて、
上流側曲げ具と、
下流側曲げ具と、
前記上流側曲げ具の反対を向いた端部を支持する上流側支持部と、
前記下流側曲げ具の反対を向いた端部を支持する下流側支持部と、
プレート、前記プレートの反対を向いた端部から突出する第１の側脚部および第２の側脚部、前記第１の側脚部に接続した第１のクロスビーム、並びに、前記第２の側脚部に接続した第２のクロスビームを含み、前記第１および第２のクロスビームが、前記上流側および下流側支持部を、該プレートに対して支持するものである基部と
を含み、
前記上流側および下流側曲げ具の少なくとも１つの前記反対を向いた端部の少なくとも１つは、プレートに対して選択的に移動自在である曲げ具アセンブリ。
【発明の詳細な説明】
【関連出願の相互参照】
【０００１】
本願は、米国特許法第１１９条の下、２０１７年１０月３０日出願の米国仮特許出願第６２／５７８，８１６号の優先権の利益を主張し、その内容は依拠され、全体として参照により本明細書に組み込まれる。
【技術分野】
【０００２】
本開示は、概して、ガラスリボン処理システムおよび方法に関する。特に、移動するガラスリボンから薄いガラスシートを製造する処理の一部として、ガラスリボンを扱うシステムおよび方法に関する。
【背景技術】
【０００３】
ガラスシートの製造は、典型的には、溶融ガラス材料からガラスリボンを製造する工程と、次に、ガラスリボンを個々のガラスシートへと切断または分離する工程とを含む。ガラスリボンを製造する様々な技術が知られている。例えば、ダウンドロー処理（例えば、フュージョンドロー処理）を用いて、リボンを下方に、典型的には形成体から引き出す。他のガラス製作処理は、例えば、フロート法、アップドロー法、スロット法、および、フルコール法を含む。更に他の例において、ガラスリボンを、一時的にロール状で保存し、後で解いて、個々のガラスシートへと切断または分離する。
【０００４】
多数のエンドユーザによる利用例での要求を満たすために、より薄いガラスシート（例えば、約１ミリメートル（ｍｍ）以下）を製造する取り組みが続けられてきた。そこからガラスシートを形成するガラスリボンの厚さが薄くなるほど、反り（または、平坦度偏差）、および、他の問題（より薄いガラスリボンを提供する処理工程中に生じうる表面破損など）を生じ易くなる。反りは、ガラスリボンの幅または長さ方向の１つ以上で生じうる。ガラス製造処理構成も、平坦度偏差を生じる要因となりうる。例えば、巻いた薄いガラス形成技術のいくつかでは、処理構成は、ガラスリボンを垂直向きから水平向きへ変える工程を含む。ここで向きを変える間、ガラスの粘度は、まだ十分に低いので、重力の影響を受け易く、いくつかの端効果により、顕著な横方向の変形を生じうる。縦方向には、引張力を加えて、張力を生じさせることでガラスリボンを安定させうる。その結果、次に圧縮部分が縁部に現れて、幅に亘って皺または反りを生じうる。ガラスリボンが平坦なほど、所定の最終的厚さにするために、研削および／または研磨などによって除去する必要がある材料の量が削減される。例えば、（約２５０ｍｍ×６００ｍｍのシートサイズについて）１００マイクロメートル程度の平坦度が、いくつかの利用例で必要でありうる。
【０００５】
参考として、ガラス形成処理中に、ガラスリボンは、最初に粘性状態で形成され、次に、粘弾性状態まで冷却され、最終的に、弾性状態まで冷却される。反りを最小にするために、ガラスリボンを、完全に粘性である領域の端部に近い位置でニップロールに通す処理が一般的に行われている。ニップロールは円筒状で、一定間隙で、または、一定の挟む力で設定されうる。典型的には、２つのニップロールの一方を駆動させ、他方はアイドル状態にして、望ましい力を加える。いずれの場合でも、ニップロールよってガラスリボンに加えられる機械的効果は、実質的に一方向であり（「スクイーズ」効果）、短い線または直線モードの接触を特徴とする。いくつかのエンドユーザによる利用例では、ニップロールのみによって加えられた直線状の接触では、望ましいレベルの平坦度を実現できない。
【発明の概要】
【０００６】
したがって、本明細書において、例えば、ガラスリボンの反りを削減するガラスリボン処理システムおよび方法を開示する。
【０００７】
本開示のいくつかの実施形態は、ガラスリボン処理方法に関する。ガラスリボンを、供給装置から搬送装置の上流側に供給する。搬送装置は、搬送部装置および引張装置を含む。引張装置は、上流側の反対側である搬送装置の下流側に位置する。搬送部装置は、上流側から下流側への進行主平面を確立する。引張力を、ガラスリボンに加えて、ガラスリボンを進行経路に沿って連続して搬送する。これについて、進行経路は、第１、第２、および、第３の曲がり部を含む。第１の曲がり部は、上流側と引張装置の間の第１の位置に形成される。第１の曲がり部は、進行主平面に対して凸状のカーブを画定する。第２の曲がり部は、第１の位置と引張装置の間の第２の位置に形成される。第２の曲がり部は、進行主平面に対して凹状のカーブを画定する。第３の曲がり部は、第２の位置と引張装置の間の第３の位置に形成される。第３の曲がり部は、進行主平面に対して凸状のカーブを画定する。第３の位置と進行主平面の間の垂直距離は、第１の位置と進行主平面の間の距離より長い。更に、進行経路は、第３の位置の下流側の位置から引張装置まで、進行主平面に位置する。第１、第２、および、第３の曲がり部の少なくとも１つが、ガラスリボンの表面に応力を加えて、ガラスリボンを平坦化する。いくつかの実施形態において、第３の曲がり部でのガラスリボンの粘度は、第１の曲がり部でのガラスリボンの粘度より高い。他の実施形態において、第１、第２、および、第３の曲がり部の少なくとも１つは、少なくとも部分的には、ガラスリボンと曲げ具の間での相互作用、および、重力によって生じる。
【０００８】
本開示の更に他の実施形態は、ガラスリボン処理システムに関する。システムは、搬送装置を含む。搬送装置は、搬送部装置、引張装置、第１の曲げ具、第２の曲げ具、および、第３の曲げ具を含む。搬送部装置は、上流側から上流側の反対側である下流側への進行主平面を確立する。引張装置は、下流側に位置し、ガラスリボンを進行経路に沿って搬送する。第１の曲げ具は、上流側に近接する。第２の曲げ具は、第１の曲げ具と下流側の間に位置する。第２の曲げ具と進行主平面の間の垂直距離は、第１の曲げ具と進行主平面の間の垂直距離より長い。第３の曲げ具は、第２の曲げ具と下流側の間に位置する。第３の曲げ具と進行主平面の間の垂直距離は、第２の曲げ具と進行主平面の間の垂直距離より長い。第１、第２、および、第３の曲げ具は、少なくとも部分的には、第１、第２、および、第３の曲がり部を含む進行経路を確立する。第１の曲がり部は、上流側と引張装置の間の第１の位置で形成される。第１の曲がり部は、進行主平面に対して凸状のカーブを画定する。第２の曲がり部は、第１の位置と引張装置の間の第２の位置で形成される。第２の曲がり部は、進行主平面に対して凹状のカーブを画定する。第３の曲がり部は、第２の位置と引張装置の間の第３の位置で形成される。第３の曲がり部は、進行主平面に対して凸状のカーブを画定する。更に、進行経路は、第３の位置の下流側の位置から引張装置まで、進行主平面に位置する。いくつかの実施形態において、第１、第２、および、第３の曲げ具は、ガラスリボンと線接触を確立するように構成される。
【０００９】
本開示の更に他の実施形態は、ガラスリボンを処理する曲げ具アセンブリに関する。曲げ具アセンブリは、上流側曲げ具と、下流側曲げ具と、上流側支持部と、下流側支持部と、基部とを含む。上流側支持部は、上流側曲げ具の反対を向いた端部を支持する。下流側支持部は、下流側曲げ具の反対を向いた端部を支持する。基部は、プレート、プレートの反対を向いた端部から突出する第１の側脚部および第２の側脚部、第１の側脚部に接続した第１のクロスビーム、並びに、第２の側脚部に接続した第２のクロスビームを含む。第１および第２のクロスビームが、上流側および下流側支持部を、プレートに対して支持する。更に、曲げ具アセンブリは、上流側および下流側曲げ具の少なくとも１つの反対を向いた端部の少なくとも１つは、プレートに対して選択的に移動自在であるように構成される。
【００１０】
更なる特徴および利点を、次の詳細な記載に示し、それは、部分的には、当業者には、その記載から容易に明らかであるか、または、詳細な記載、請求項、および、添付の図面を含む本明細書に記載の実施形態を行うことで分かるだろう。
【００１１】
ここまでの概略的記載と、次の詳細な記載の両方が、様々な実施形態を記載したものであり、請求した主題の本質および特徴を理解するための概観および枠組みを提供することを意図すると理解すべきである。添付の図面は、様々な実施形態の更なる理解のために含められ、本明細書に組み込まれ、一部を構成する。図面は、本明細書に記載の様々な実施形態を示し、記載と共に、請求した主題の原理および動作を説明する役割を果たす。
【図面の簡単な説明】
【００１２】
【図１】本開示の原理によるガラスリボン処理システムを簡略に示す側面図である。
【図２】進行するガラスリボンに曲がり部を与える処理を概略的に示している。
【図３】典型的なガラス粘性曲線のグラフであり、平坦化領域を示している。
【図４】本開示の原理による曲げ具アセンブリの斜視図であり、本開示のガラスリボン床上搬送部を用いた場合に有用である。
【図５】図４の曲げ具アセンブリの一部を拡大して示す斜視側面図である。
【図６Ａ】図４の曲げ具アセンブリの側面図である。
【図６Ｂ】曲げ具アセンブリの他の側面図であり、図６Ａの位置とは異なる位置の上流側および下流側曲げ具を示している。
【図７】本開示のガラスリボン処理の原理による他の床上搬送部を簡略に示す側面図であり、図４の曲げ具アセンブリを含んでいる。
【図８】実施例のセクションの比較例ガラスシートの反り測定値のグラフである。
【図９】実施例のセクションの実施例ガラスシートの反り測定値のグラフである。
【発明を実施するための形態】
【００１３】
ここで、ガラスリボン処理システムおよび方法、特に、ガラスリボン、例えば、連続したガラスリボンから反りを除去するか、または、その平坦度を改良するシステムおよび方法の様々な実施形態を詳細に記載する。全図を通して、同じ、または、類似の部分を称するには、可能な限り同じ参照番号を用いている。
【００１４】
本開示のいくつかの態様は、ガラスリボンを扱うシステムおよび方法を提供し、それは、連続して搬送されるか、または、進行するガラスリボンが、進行経路に沿った位置で一時的曲がり部の作用を受けて、最終的平坦度を改良するものである。与える曲がり部の程度または曲率、並びに、曲がり部の実現に用いる機構（または、曲げ具）を、下記のようにガラスリボンの予想される粘度に基づいて選択し、ガラスリボンのプロファイルを幅に亘ってまっすぐにする傾向のある応力域を生成しうる。これを基に、図１に、本開示の原理に基づくシステム２０の一実施形態を概略的に示しており、それは、ガラスリボン２２の形成および処理で有用なものである。本明細書において、システム２０をガラスリボン処理に用いるものとして記載しているが、本開示のシステムおよび方法は、ポリマー（例えば、ｐｌｅｘｉ‐ｇｌａｓｓ（商標））、金属、または、他の基板材料など、他の種類の材料の処理にも用いうると理解すべきである。
【００１５】
システム２０は、ガラスリボン供給装置３０、および、搬送装置３２を含む。より詳細に以下に記載するように、ガラスリボン供給装置３０は、ガラスリボン２２を生成して搬送装置３２の上流側４０に送出するのに適した広範囲の様々な形態を想定しうる。搬送装置３２は、ガラスリボン２２を、上流側４０から下流側４２へ進行させる。これについて、ガラスリボン２２は冷却されて、したがって、上流側４０から下流側４２へと粘度が上昇する。更に、搬送装置３２は、ガラスリボン２２が下流側４２に進む時に、ガラスリボン２２から反り（平坦度偏差）を削減または除去するように構成される。
【００１６】
いくつかの限定するものではない実施形態において、ガラスリボン供給装置３０は、溶融ガラス５０が形成体５２へと送られる溶融処理を組み入れたものである。形成体５２は、その上面に配置された開口溝５４、および、形成体５２の底部または根元部５８で収束する１対の収束形成面５６を含む。溶融ガラス５０は、開口溝５４に流れ込み、その壁部を越えて流れ、それにより、２つの個々の溶融ガラス流へと分かれて、収束形成面５６の上を流れる。分かれた溶融ガラス流が根元部５８に到達すると、再結合または融合して、根元部５８から下降する粘性溶融ガラスの単一のリボン（つまり、ガラスリボン２２）を形成する。様々なローラ６０が、粘性ガラスリボン２２に、リボンの縁部に沿って接触し、リボン２２を最初に下方向６２（垂直方向など）に引き出すのを助ける。本開示は、片側オーバーフロー処理、または、スロットドロー処理など、他の種類のダウンドローガラス製作処理にも等しく用いうるもので、それらの基本的処理は当業者に知られている。
【００１７】
いくつかの実施形態において、ガラスリボン供給装置３０は、更に、ガラスリボン２２を第１の方向６２から第２の方向６６へと再び方向付けて搬送装置３２に送るようにする再方向付け装置６４を含みうる。図１では、再方向付け装置６４を、ローラ６８によって表している。いくつかの実施形態において、ガラスリボン２２は、再方向付け装置６４によって９０度の角度で向きを変えられて、第２の方向６６は、水平になる。いくつかの実施形態において、再方向付け装置６４は、ガラスリボン２２に物理的に接触しないか（例えば、空気ベアリング）、または、ローラを用いた場合など、接触が必要な場合には、接触をガラスリボン２２の縁部分に限定しうる。
【００１８】
上記のような９０度向きを変える処理を含むか、または、含まないか、溶融処理を含むか、または、含まないなど、他のガラスリボン形成技術も用いうる。いずれの場合でも、溶融粘性ガラスリボン２２は、連続して搬送装置３２の上流側４０に供給される。
【００１９】
搬送装置３２は、搬送部装置７０（総称）、引張装置７２、および、曲げ具７４、７６、７８などの１つ以上の曲げ具を含む。概説すると、搬送部装置７０は、上流側４０から下流側４２への進行主平面Ｐを確立する。引張装置７２は、下流側４２に、または、下流側４２に直ぐ近接して位置し、引張力をガラスリボン２２に加えて、ガラスリボン２２を、下記のように少なくとも部分的に曲げ具７４、７６、７８によって画定された進行経路に沿って連続して搬送する。
【００２０】
搬送部装置７０は、ガラスリボン２２を支持するのに適した様々な形態を想定しうるもので、ローラ８０などの移送装置を含みうる。ローラ８０は、ガラスリボンと相互作用（例えば、接触）するのに適した任意の方式を有しうる。例えば、各ローラ８０は、ガラスリボン２２の選択された物性に明らかな悪影響を与えないように、ガラスリボン２２に直に接触するのに適した材料、剛性、表面被膜などを含むか、示しうる。ローラ８０のいくつか、または、全てが、当業者に知られた種類の被駆動ローラでありうる。ベルトコンベア、非接触搬送部（例えば、空気ベアリング）など、他の搬送方式も用いうる。図１では、下流側４２に直ぐ隣接したいくつかのローラ８０だけを反映して示しているが、他の実施形態において、１つ以上の移送装置（例えば、ローラ）を、上流側４０に隣接して、または、上流側４０と下流側４２の間に含みうる。いずれの場合でも、ローラ８０（または、他の搬送装置配列）は、まとまって、進行主平面Ｐを、搬送部装置７０がガラスリボン２２と接触するか、他の形態でガラスリボン２２と直接相互作用する垂直方向について最も低い位置として確立する。いくつかの限定するものではない実施形態において、搬送部装置７０は、ガラス製造施設の床に設置されるように構成され、したがって、ローラ８０（または、他の移送装置）を支持する従来から知られた枠部（不図示）を含みうる。
【００２１】
引張装置７２は、ガラスリボン２２を駆動または引っ張るのに適した様々な形態を想定しうるもので、いくつかの実施形態において、第１および第２のローラ９０、９２を含む従来のニップロール装置を含みうる。ローラ９０、９２の一方または両方は、従来から知られた被駆動ローラでありうる。これらの構成および同様の構成を用いた場合、引張装置７２は、更に、ガラスリボン２２の搬送装置３２に沿った速度または進行速度を制御するようにプログラムされた制御部（不図示）、例えば、コンピュータのような装置、プログラマブルロジックコントローラなどを含みうる。他の引張装置の構成も用いうる。
【００２２】
上記搬送部装置７０および引張装置７２の概略的パラメータを基に、曲げ具７４、７６、７８は、様々な形態を想定しうるものであり、進行主平面Ｐ、上流側４０、および、下流側４２に対して様々な位置に配置されて、下記のようにガラスリボン２２と相互作用しうる。更に概説すると、搬送装置３２に含まれた曲げ具７４、７６、７８の配列および構成は、ガラスリボン２２との直の接触を最小にしつつ、ガラスリボン２２が一連の一時的曲がり部の作用を受けて、ガラスリボン２２の反り部を削減する働きをするように選択される。曲げ工程に関わる力は、引張装置７２で生成された引張力によって提供される。参考として、進行するガラスリボン２２の曲げ処理を、概して図２に反映して示したように、上向きの力Ｕと下向きの力Ｄの組合せとしてみることができる。上向きの力Ｕ要素を、ガラスリボン２２を進行主平面Ｐより高い位置へと駆動する物理的手段によって提供しうる。この物理的手段は、空気ベアリングを有するか、または、有さない（静止、または、回転した）固体表面であり、摩擦、回転、または、非接触でありうる相互作用を生じうる。下向きの力Ｄ要素は、ガラスリボン２２の粘度が十分に低い場合に重力によって提供されうるか、または、ガラスリボン２２を低い位置に押しやる機械的手段を用いて提供されうる。いずれの場合でも、（ニップロールにより別の態様で生じた線形の力とは対照的に）曲げ処理は、ガラスリボンのプロファイルを幅に亘ってまっすぐにするか平坦化する傾向のある表面応力域を生成する。
【００２３】
図１に戻り、上記のように、搬送装置３２は、平坦度を改良する一連の曲がり部の各々が、ガラスリボン２２の予想粘度の関数として、進行経路に沿った位置で生成されるように構成される。これについて、ガラスリボン２２は、上流側４０から下流側４２へ進行する間に冷却されて、したがって、ガラスリボン２２の粘度は、上流側４０から下流側４２へ徐々に上昇する。更に適切な粘度で曲率を変化させて、最初の形状を非常に改良しうる。粘度が低すぎる場合に曲率を変化させると、ガラスリボン２２の厚さを望ましくない態様で変化させうる局所剪断を生じうる。粘度が高すぎる場合に曲率を変化させると、連続した曲げ処理の間にガラスリボン２２内で生じた応力は、完全に平坦化させるか反りを除去するのに不十分でありうる。搬送装置３２の構成は、これらの制限要因にも基づいて、重力を利用できる場合は重力も曲げ力の要素として用いる。参考として、図３は、例示的な粘度曲線（温度の関数として）を示している。粘度曲線に沿って、本開示の原理により重力による曲げ処理が利点を有する領域９４が特定され、更に、本開示の原理による力を加えた曲げ処理（例えば、少なくとも部分的には、ガラスリボンに対して、構造物との相互作用によって加えられた力によって生じた、または、加えられた曲げ処理）領域９５も特定される。領域９６において、ニップローラによる平坦化が適しうる。意外なことに、（ガラスリボンの厚さが１ｍｍ程度で、速度が１０〜１２ｍ／分の場合に）ガラスリボン２２が約１０６〜１０８ポアズの範囲の粘性を有する領域で、重力により生じる曲げ処理が利用でき、ガラスリボン２２が約１０８〜１０９ポアズの範囲の粘度を有する領域では、力を加えた曲げ処理が適することを見い出した。いくつかの実施形態において、他の粘度／曲げ技術の関係も用いうる。
【００２４】
図１に戻り、上記概略的背景を基に、搬送装置３２は、ガラスリボン２２の進行経路に沿って、第１の曲がり部１００、第２の曲がり部１０２、および、第３の曲がり部１０４など、１つ以上の曲がり部（例えば、進行主平面Ｐに対する方向変化）を生成するように構成される。曲がり部１００〜１０４の１つ以上（全ての場合を含む）は、ガラスリボン２２において表面応力を生じて、ガラスリボン２２の反りを除去しうる。曲がり部１００〜１０４は、重力および引張装置７２によって加えられた引張力と共に、ガラスリボン２２と曲げ具７４、７６、７８の１つ以上との相互作用によって生成される。
【００２５】
曲げ具７４、７６、７８と曲がり部１００〜１０４の互いの位置の更なる理解のために、図１に、直交する垂直方向Ｖおよび水平方向Ｈを示している。垂直方向Ｖは、進行主平面Ｐに垂直で、水平方向Ｈは、進行主平面Ｐに平行でありうる。以下の記載で、「垂直の」、および、「垂直に」は、垂直方向Ｖに関するものであり、「水平の」、「水平に」、「上流側」、および、「下流側」は、水平方向Ｈに関するものである。更に、図１で、反対側を向いたガラスリボン２２の第１の主面１１０および第２の主面１１２が確認できる。
【００２６】
搬送装置３２に対するガラスリボン２２の進行経路は、上流側４０で、進行主平面Ｐ内であるか、進行主平面Ｐに非常に近接した上流側位置１２０で始まる。第１の曲げ具７４は上流側位置１２０に近接するが、上流側位置１２０の下流側に位置して、進行主平面Ｐの垂直方向に上方に（かつ、上流側位置１２０の垂直方向に上方に）位置するベアリング面１２２（物理面、空気ベアリングなどを総称）を提供する。更に、第１の曲げ具７４の上流側４０に対する位置は、ガラスリボン２２の予想粘度と相関する。第１の曲げ具７４は、ガラスリボン２２の粘度が重力による曲げを伝える位置で、ガラスリボン２２の第１の主面１１０と相互作用するように配置される。この配列で、ガラスリボン２２が、上流側位置１２０からベアリング面１２２へ、次に、ベアリング面１２２の向こうに（下流側に）進む時に、第１の曲げ具７４および重力が、第１の曲がり部１００をガラスリボン２２に与える。ガラスリボン２２を、第１の曲がり部１００の両側に、第１のセグメント１２４および第２のセグメント１２６を有するものとして考えることができる。相互作用領域１２２は、上流側位置１２０の垂直方向に上方に位置するので、第１のセグメント１２４は、進行主平面Ｐから垂直方向に離れて、上流側位置１２０からベアリング面１２２へと進む。ガラスリボン２２がベアリング面１２２の向こうへ進行すると、重力が、第２のセグメント１２６を、垂直方向に第１の曲がり部１００から進行主平面Ｐに向かって進ませる。第１の曲がり部１００は、第１のセグメント１２４と第２のセグメント１２６の間のガラスリボンにおける湾曲であり、頂点１２７を有する（つまり、頂点は、第１の曲がり部１００のカーブの傾きがゼロの位置である）。第１の曲がり部１００によって提供されるカーブは、進行主平面Ｐに対して凸状である。
【００２７】
第２の曲がり部１０２は、第１の曲がり部１００の下流側に形成され、重力、および、少なくとも第２の曲げ具７６の位置によって生成される。特に、第２の曲げ具７６は、第１の曲げ具７４の相互作用領域１２２の垂直方向に上方に、かつ、水平方向に下流側に配置される。更に、第２の曲げ具７６の位置は、ガラスリボン２２の予想粘度と相関する。第２の曲げ具７６は、ガラスリボン２２の粘度が（第１の曲げ具７４との接点での粘度と比べて）上昇して、重力だけではガラスリボン２２が実質的に曲がりにくい位置で、ガラスリボン２２の第１の主面１１０と相互作用するように配置される。換言すれば、第２の曲げ具７６との接点で、ガラスリボン２２の粘度は十分高く、したがって、ガラスリボン２２は、第２の曲げ具７６の周りで、上記ガラスリボン２２と第１の曲げ具７４の相互作用と同様には単に曲がらない。しかしながら、第１の曲げ具７４と第２の曲げ具７６の間の距離（垂直方向と水平方向の両方）と、ガラスリボン２２の予想粘度との組合せで、第２の曲がり部１０２がガラスリボン２２（第２の曲げ具７６の上流側）に重力により形成される。換言すれば、第２の曲げ具７６の位置、および、ガラスリボン２２の予想粘度により、ガラスリボン２２は、第２の曲がり部１０２の両側に、上記のような（つまり、垂直方向に進行主平面Ｐに向かう）第２のセグメント１２６、および、第３のセグメント１２８を画定する。第２の曲がり部１０２から第２の曲げ具７６に進行する時に、第２の曲げ具７６は、第３のセグメント１２８が進行主平面Ｐから垂直方向に離れるように進むようにさせる。第２の曲がり部１０２は、第２のセグメント１２６と第３のセグメント１２８の間のガラスリボン２２の湾曲を表し、頂点１２９を有する。第２の曲がり部１０２によって確立されたカーブは、進行主平面Ｐに対して凹状である。ガラスリボン２２の粘度が高すぎるか、および／または、第２の曲げ具７６が第１の曲げ具７４により近く配置された場合、重力のみでは、第２の曲がり部１０２を形成するのに十分でないことがありうる。これらの説明を基に、次に、ガラスリボン２２が第３の曲げ具７８に向かって進む時にガラスリボン２２を進行経路に沿って支持するように、第２の曲げ具７６を構成し配置する。
【００２８】
第３の曲がり部１０４は、第２の曲がり部１０２の下流側に形成されて、第３の曲げ具７８および重力によって生成される。特に、第３の曲げ具７８は、第２の曲げ具７６の垂直方向に上方に、かつ、水平方向に第２の曲げ具７６の下流側に配置される。更に、第３の曲げ具７８の位置は、ガラスリボン２２の予想粘度に相関する。第３の曲げ具７８は、ガラスリボン２２の粘度が（第１の曲げ具７４との接点でのガラスリボン２２の粘度と比べて）上昇して、力を加えた曲げに適切なレベルになり、重力だけではガラスリボン２２が実質的に曲がりにくい位置で、ガラスリボン２２の第２の主面１１２と相互作用するように配置される。換言すれば、ガラスリボン２２の粘度は十分に高く、ガラスリボン２２は、表面（第３の曲げ具７８など）に接触しても局所剪断を生じないが、接触に応じて容易に変形するには十分に低い。第３の曲げ具７８の位置は、第３の曲げ具７８との接点でのガラスリボン２２の予想粘度と相関し、ガラスリボン２２は、第３の曲がり部１０４の両側に、上記第３のセグメント１２８（つまり、進行主平面Ｐから垂直方向に離れるように進む）、および、第４のセグメント１３０を含む。第４のセグメント１３０は、第３の曲がり部１０４から進行主平面Ｐに向かって垂直方向に進む。第３の曲がり部１０４は、第３のセグメント１２８と第４のセグメント１３０の間のガラスリボンの湾曲を表し、頂点１３１を有する。第３の曲がり部１０４を確立するカーブは、進行主平面Ｐに対して凸状である。参考として、第３の曲げ具７８がないと、重力が、ガラスリボン２２を結果的に第３のセグメント１２８の方向から逸らして、ガラスリボン２２が第２の曲げ具７６から離れるように進む時に、徐々に進行主平面Ｐに向かって湾曲する。第３の曲げ具７８を、この自然な重力により生じた経路に加えて、ガラスリボン２２が、上記表面応力を生成するのに適する、よりはっきりとしたカーブとなるようにする（例えば、ガラスリボン２２の反りを除去するのに十分）。したがって、図１に反映して示されているように、第３の曲がり部１０４は、第３の曲がり部１０４の頂点１３１が第３の曲げ具７８の僅かに上流側となるように、ガラスリボン２２に形成される。つまり、ガラスリボン２２は、はっきりとしたカーブを、第３の曲げ具７８の位置でも、その周りでも形成しない。そうではなく、第３の曲げ具７８は、進行経路に偏向を与えるように構成され、（第２の曲げ具７６に対して）配置され、第３の曲げ具７８との接点での重力およびガラスリボン２２の粘度との組合せで、反りを除去するのに適した第３の曲がり部１０４を生成する。いずれの場合でも、進行主平面Ｐと第３の曲がり部１０４の間の垂直距離は、進行主平面Ｐと第１の曲がり部１００の間の垂直距離より長い。
【００２９】
ガラスリボン２２の進行経路は、第３の曲がり部１０４の頂点１３１から進行主平面Ｐに向かって続く。下流側端部４２に隣接して、第１の主面１１０は、ローラ８０によって、（例えば、接触して）支持される。ガラスリボン２２は、ローラ８０に沿って、更に、引張装置７２で、進行主平面Ｐに位置しうる。いくつかの実施形態において、ローラ８０の位置は、ローラ８０との接点での、ガラスリボン２２の予想粘度と相関し、それは、例えば、ガラスリボン２２の粘度が、ローラ表面と破損せずに直に接触するのに適したレベルまで上昇した位置である。
【００３０】
搬送装置３２を、３つの曲げ具７４、７６、７８を含み、３つの曲がり部１００、１０２、１０４を含む進行経路が画定するものとして記載したが、それより少数か多数の任意の他の数の曲げ具を用いうる。例えば、（例えば、上記第２の曲げ具７６と類似の）更なる曲げ具を備えて、ガラスリボン２２を、望ましい進行経路に沿って支持しうる。いずれの場合でも、本開示の搬送装置は、ガラスリボン２２の進行経路で、少なくとも１つのカーブまたは曲がり部を、ガラスリボン２２から反りを除去するのに十分な表面応力を生成するのに適した曲がり部の位置で形成するように構成される。粘性膜（例えば、粘性ガラスリボン）の場合、曲げ処理により生じた応力は、部分的には、ガラスリボン２２を肉眼で分かるように変形し、更に、局所的に平坦化するのに用いられる。これらの応力は、短期間で緩和し、局所変形を不変にさせる。ガラスリボン２２は、曲がり部１００、１０２、１０４の少なくとも１つ以上に沿って、この平坦化を生じる。上流側４０から下流側４２へのガラスリボン２２の進行経路を、（進行主平面Ｐに対して）凸状の第１の曲がり部１００で始まるように記載したが、他の実施形態において、上流側からの進行経路は、第１の曲がり部１００の上流側に１つ以上の他の曲がり部（例えば、凸状の第１の曲がり部１００の上流側の１つ以上の（進行主平面Ｐに対して）凹状の曲がり部）を含みうる。
【００３１】
本開示の搬送装置と共に用いた曲げ具７４、７６、７８などの曲げ具は、上記のような反りを削減する曲がり部を機械的に生成するように、ガラスリボン２２が進行経路に沿って搬送される時にガラスリボン２２と相互作用するのに適した様々な形態を想定しうる。更に概説すると、曲げ具は、熱の影響を最小にするか、または、なくすようにした状態で、ガラスリボン２２と線状の接触または相互作用を確立するように構成される（つまり、曲げ具は、ガラスリボン２２に「熱による傷」を生じない）。いくつかの実施形態において、１つ以上の曲げ具７４、７６、７８など、本開示の床上搬送部を備えた曲げ具の１つ以上または全ては、静止体（例えば、静止しているか、または、回転しないロッド）でありうる。本開示の床上搬送部および方法を用いて有用である静止曲げ具は、熱伝導率の高い材料を含み、ガラスリボン２２での熱勾配による変形を防ぎうる。いくつかの実施形態において、静止型曲げ具は、低摩擦係数材料（または、ガラスリボンとの間で低摩擦相互作用を有するように構成された他の材料）を、少なくとも進行するガラスリボンと相互作用することを意図した表面で組み込んで、引き摺られたり、くっ付いたりする恐れを最小にしうる。例えば、静止型曲げ具は、炭化ケイ素、グラファイトなどを、少なくともガラスリボン２２と相互作用することを意図した表面で含みうる。更に他の実施形態において、静止型曲げ具は、進行するガラスリボン２２と相互作用する空気ベアリングを含みうる（例えば、第１の曲げ具７４は、空気ベアリング構成を有しうる）。空気ベアリング構成を、適度の力がガラスリボン２２に望ましい曲がり部またはカーブを生成するのに適した位置で、曲げ具として用いうる。
【００３２】
いくつかの実施形態において、１つ以上の曲げ具７４、７６、７８など、本開示の搬送装置を備えた１つ以上または全ての曲げ具は、軸によって回転自在に支持されたローラなど、回転型構成を有しうる。いくつかの実施形態において、回転型曲げ具は、熱伝導率がより低い設計を組み込んで、上記のような熱勾配による変形の削減を促進しうる。例えば、回転型曲げ具は、アルミナ材料を、少なくとも進行するガラスリボン２２と相互作用することを意図した表面で含みうる。適したアルミナ体（管、ロッドなど）を容易に利用可能で、高温で扱いうる。回転型曲げ具を用いた場合に有用である材料の他の限定するものではない例は、高強度セラミック（例えば、炭化ケイ素）を含む。
【００３３】
いくつかの実施形態において、本開示の搬送装置を備えた１つ以上または全ての曲げ具は、熱伝導率の高い材料の周りで循環を生じさせることによって、起こりうる熱伝達の問題を解決するように構成される。これらの任意の構成は、熱勾配を緩やかにして、残留応力（面内要素）のレベルを低下させるのを助けうる。例えば、曲げ具を、ガラスリボン２２が高熱浸透率の物の上を進行して、湾曲向きが逆になるように構成しうる。関連する実施形態において、１つ以上または全ての曲げ具を、ガラスリボン２２の両方の主面１１０、１１２から熱伝達するように構成して、全体的効果を高めうる。
【００３４】
いくつかの実施形態において、１つ以上または全ての曲げ具７４、７６、７８など、本開示の搬送装置を備えた１つ以上または全ての曲げ具は、自動位置合わせ機構を組み込みうる。参考として、曲げ具を、ガラスリボン２２の主進行方向と一致するように適切に位置合わせすることは、面外変形を次に生じさせうる圧縮／引張力がガラスリボン２２に生じるのを防ぐのに利点がありうる。自動位置合わせ機構は、主進行方向との位置合わせを維持するのに適した様々な形態を想定しうる。例えば、ガラスリボン２２の平面に垂直である上流側回転軸を提供する装置は、曲げ具に連結されうる。この構成を用いて、（引張装置７２によって加えられた）下流側の引張力は、アセンブリを位置合わせするモーメントを生成する（例えば、風向計に類似する）。
【００３５】
いくつかの実施形態において、１つ以上または全ての曲げ具７４、７６、７８など、本開示の搬送装置を備えた１つ以上または全ての曲げ具は、搬送部システム７０に対して、特に、進行主平面Ｐに対して（垂直方向および／または水平方向に調節自在に）位置調節可能となるように構成されうる。参考として、ガラスリボン２２を高粘度で曲げ処理する場合、進行経路に沿った２つの連続した曲げ具の相対位置を、厳しい許容誤差内に（例えば、１００ｍｍの距離に亘って１００マイクロメートル以内に）制御する必要がありうる。いくつかの実施形態において、２つの連続した曲げ具の間隔は、（ガラスリボン進行経路に沿って）約５０ｍｍより長い。距離が短くなると、連続した曲げ具の間での小さい位置合わせ不良が、重大な面外応力および／または不安定性を生じうる。更に、連続した曲げ具の間でガラスリボンが平行であることは、一定の曲率半径をガラスリボン２２の幅に亘って生成するのに利点を有しうる。これに基づいて、曲げ具を、搬送部装置７０に対して、枠部（不図示）、若しくは、垂直および／または水平方向の調節を可能とする他の構造物によって支持しうる。関連する実施形態において、（例えば、空気圧、機械的、電子などの）適切な作動部を、作動部の動作を制御部（例えば、ＰＬＣ）によって制御した状態で、曲げ具に連結または接続しうる。これらの実施形態および他の実施形態を用いて、ガラスリボン製造動作前または動作中に、１つ以上の曲げ具の位置を自動調節しうる。例えば、システム２０を最初に開始（例えば、加熱、および、ガラスリボンの導入または通すこと）中の条件は、そうではなく通常の製造中には望まれる曲げ具の位置と適合しなくてもよい。これらの状況および他の状況で、１つ以上の曲げ具を自動再配置しうる。同様に、異なるガラスリボン物性、および／または、製造要件は、異なる曲げ具位置を提供しうる。１つ以上の曲げ具を、（例えば、オペレータが入力した製造制限要因に応じて）自動再配置しうる。
【００３６】
本開示の原理に基づき、床上搬送部３２（図１）など、本開示の床上搬送部を用いて有用である例示的な曲げ具アセンブリ１５０を、図４に示す。曲げ具アセンブリ１５０は、上流側曲げ具１６０、下流側曲げ具１６２、上流側支持部１６４（総称）、下流側支持部１６６（総称）、および、基部１６８を含む。様々な構成要素の詳細を以下に示す。概して、曲げ具アセンブリ１５０は、上記搬送部装置７０（図１）などの搬送部装置に対して載置されて、曲げ具１６０、１６２を、引張装置７２（図１）などの引張装置の上流側に配置しうる。曲げ具１６０、１６２は、反りを削減するか、または、平坦度を改良するように、連続して搬送されるガラスリボン（不図示）と相互作用するように構成および配置される。上流側支持部１６４は、上流側曲げ具１６０を基部１６８に対して保持し、更に、いくつかの実施形態において、上流側曲げ具１６０を、搬送部装置に対して、特に搬送部装置の進行主平面（上記進行主平面Ｐ（図１）など）に対して、選択的に配置するのを可能にする。いくつかの実施形態において、下流側支持部１６４は、同様に、下流側曲げ具１６２を保持する。
【００３７】
曲げ具１６０、１６２は、各々、本開示を通して記載した任意の形態を想定しうるものであり、いくつかの実施形態において、（上流側曲げ具１６０について確認できる）円筒状ロッド１８０であるか、または、それを含む。曲げ具１６０、１６２の一方または両方は、（下記のように対応する上流側支持部１６４および下流側支持部１６６に載置された時に）ロッド１８０をその中心軸を中心に回転させる回転特徴物（例えば、図４で、その１つを確認できるベアリング１８２）を組み込んだローラを含みうる。任意で、曲げ具１６０、１６２の一方または両方は、更に、ロッド１８０に載置されて対応する回転特徴物の１つ（例えば、ベアリング１８２の１つ）をガラスリボン（不図示）から放射される熱から保護するように構成された（図４で、その１つを確認できる）熱遮蔽部１８４を含みうる。曲げ具１６０、１６２の一方または両方は、他の構成を有しうるもので、それは、図４に示しうるか、または、示されず、更に、ローラ型方式を有しうるか、または、有さないものである。
【００３８】
上流側支持部１６４は、対向する第１および第２の上流側支持体１９０、１９２を含む。いくつかの実施形態において、上流側支持体１９０、１９２は同一でありうるもので、各々、概して、上流側曲げ具１６０の端部領域（例えば、上流側曲げ具１６０の円筒状ロッド１８０）を支持して、上流側曲げ具１６０の基部１６８に対する空間位置を確立するように構成されうる。図５は、第１の上流側支持体１９０の一部をより詳細に示している。上流側支持体１９０は、ツール受付けスロット１９４およびガイドスロット１９６を形成または画定する。ツール受付けスロット１９４のサイズおよび形状は、上流側曲げ具１６０の特徴物と対応し、上流側曲げ具１６０を上流側支持体１９０に選択的に組立て、または、載置するのを可能にする。例えば、ツール受付けスロット１９４のサイズおよび形状は、ロッド１８０によって担持されたベアリング１８２のサイズおよび形状に対応し、したがって、ベアリング１８２は、図５の載置状態でスロット１９４内に収容される。更に、上流側曲げ具１６０は、環部２００、並びに、バネ２０２または環部２００を支持体１９０に付勢する同様の構成要素など、ベアリング１８２を支持体１９０に対して載置した状態で選択的に保持または固定する１つ以上の更なる構成要素を含みうる。この構成を用いて、上流側曲げ具１６０を、選択的に第１の上流側支持体１９０に（第２の上流側支持体１９２（図４）にも）固定したり、取り外したりしうる。他の載置構成も用いうるもので、上流側曲げ具１６０を上流側支持部１６４（図４）に取外し自在に組立てても、そうでなくてもよい。
【００３９】
いくつかの任意の実施形態において、ガイドスロット１９６を含み、それは、概して、第１の上流側支持体１９０と基部１６８を移動自在に接続するのを容易にするように構成される。例えば、いくつかの実施形態において、ガイドスロット１９６は、基部１６８に含まれた固定部２１０を摺動自在に受け付けるようなサイズおよび形状を有する。この任意の構成を用いて、固定部２１０を緩めて、支持体１９０（したがって、それによって担持された上流側曲げ具１６０）を基部１６８に対して上下させるのを可能にし、支持体１９０が望ましい垂直位置になると、次に、固定部２１０を締めて支持体１９０を基部１６８に対して固定しうる。これについて、より詳細に以下に記載するように、支持体１９０は、基部１６８に含まれた目盛りまたは他の印に対して、支持体１９０の垂直位置を相関させるか特定する役割を果たすインジケータ２１２（例えば、溝）を形成するか担持しうる。第１の上流側支持体１９０（および、基部１６８）は、ガイドスロット１９６を含んでも、含まなくてよい他の載置構成を組み込みうる。
【００４０】
図４に戻り、下流側支持部１６６は、上記上流側支持部１６４と、同一など、同様に構成され、例えば、対向する第１および第２の下流側支持体２２０、２２２を含みうる。いくつかの実施形態において、下流側支持体２２０、２２２は、より不変的に下流側曲げ具１６２が接続または組み立てられるように構成される。例えば、いくつかの実施形態において、下流側曲げ具１６２は、下流側支持部１６６から、容易に取り外せないものでありうる。
【００４１】
基部１６８は、プレート２３０、対向する第１および第２の側脚部２３２、２３４、並びに、枠部２３６（総称）を含みうる。側脚部２３２、２３４は、サイズおよび形状が同一でありうるもので、プレート２３０の反対を向いた端部に取り付けられて、そこから突出する。枠部２３６は、対向する第１および第２のクロスビーム２４０、２４２を含み、更に、任意の対向する第１および第２のアーム部２４４、２４６を含む。クロスビーム２４０、２４２は、対応する１つの側脚部２３２、２３４、並びに、上流側支持部１６４および下流側支持部１６６に含まれた対応する１つの支持体１９０、１９２、または、２２０、２２２に移動自在に接続される。アーム部２４４、２４６は、クロスビーム２４０、２４２の間に延伸して、それら同士を接続する。この構成を用いて、プレート２３０は、曲げ具アセンブリ１５０を床上搬送部に対して設置するのに丈夫な構造を提供し、プレート２３０および脚部２３２、２３４を静止させて保持する。各クロスビーム２４０、２４２は、対応する脚部２３２、２３４に対して選択的に移動されて、対応する上流側および下流側支持部１６４、１６６の端部（したがって、それによって担持される対応する上流側および下流側曲げ具１６０、１６２の端部）をプレート２３０に対して、まとめて上下させるのを可能にする。更に、上流側および下流側曲げ具１６０、１６２の各々の端部をプレート２３０に対して、個々に、対応する支持体１９０、１９２、２２０、２２２の対応するクロスビーム２４０、２４２に対する移動を介して、上下させうる。
【００４２】
支持部１６４、１６６と基部１６８の相互接続を、更に図６Ａに示す。第１の上流側支持体１９０は、（別に、ガイドスロット１９６内に摺動自在に受け付けられる）固定部２１０によって、第１のクロスビーム２４０に選択的に連結されて、第１の上流側支持体１９０（したがって、それによって担持される上流側曲げ具１６０の端部）を第１のクロスビーム２４０に対して上下させうる。上流側目盛りまたは測定具２５０を、第１の上流側支持体１９０に近接した第１のクロスビーム２４０に取り付け、それは、増分表示（例えば、数値、ハッシュマークなど）を含む。第１の上流側支持体１９０のインジケータ２１２と、目盛り２５０に含まれた表示との関係は、第１のクロスビーム２４０および／またはプレート２３０に対する、第１の上流側支持体１９０によって担持された上流側曲げ具１６０の端部の垂直位置を示しうる。例えば、図６Ｂの配列において、第１の上流側支持体１９０は、（図６Ａの位置と比べて）第１のクロスビーム２４０に対して垂直方向に上げられている。この位置変化は、インジケータ２１２および目盛り２５０によって、ユーザに視覚的に示されうる。図６Ａの位置において、インジケータ２１２は、目盛り２５０に沿った第１の表示と位置合わせされ（つまり、「３０」）、一方、図６Ｂの位置では、インジケータ２１２は、目盛り２５０に沿った他の表示と位置合わせされる（つまり、「３０」と「４０」の間の表示、約「３８」）。その代わりに、他のスカラー型特定方法を用いうる。
【００４３】
図５および６Ａを参照すると、第１の下流側支持体２２０は、同様にガイドスロット２５２を画定し、ガイドスロット２５２内に摺動自在に受け付けられる固定部２５４によって、選択的に第１のクロスビーム２４０に連結されうる。したがって、第１の下流側支持体２２０（および、それによって担持された下流側曲げ具１６２の端部）を、第１のクロスビーム２４０に対して、上下させうる。下流側目盛りまたは測定具２５６を、第１の下流側支持体２２０に近接した第１のクロスビーム２４０に取り付けうる。第１の下流側支持体２２０上に形成されるか担持されたインジケータ２５８と下流側目盛り２５６に含まれた測定に関する情報の関係は、第１のクロスビーム２４０および／またはプレート２３０に対する、第１の下流側支持体２２０によって担持された下流側曲げ具１６２の端部の垂直位置を示しうる。例えば、図６Ａと図６Ｂを比べると、図６Ｂの配列において、第１の下流側支持体２２０は、第１のクロスビーム２４０に対して（図６Ａの位置と比べて）垂直方向に下げられていることが分かる。この位置変化を、ユーザに対して、インジケータ２５８および下流側目盛り２５６によって示しうる。図６Ａの位置で、インジケータ２５８は、下流側目盛り２５６に沿って第１の表示に位置合わせされる（つまり、「１０」と「２０」の間、約「１３」）、一方、図６Ｂの位置では、インジケータ２５８は、下流側目盛り２５６に沿った他の表示と位置合わせされる（つまり、「１０」より下の約「８」）。
【００４４】
いくつかの実施形態において、上流側目盛り２５０および下流側目盛り２５６は、同一の測定に関する表示を担持または表示し、第１のクロスビーム２４０に沿って、互いに水平に位置合わせされうる。例えば、図６Ａに示したように、上流側目盛り２５０の「３０」という表示は、下流側目盛り２５６の「３０」という表示と水平に位置合わせされうる。この任意の構成を用いて、ユーザは、上流側曲げ具１６０と下流側曲げ具１６２の垂直方向の望ましい間隔が、より容易に分かり、選択しうる。例えば、目盛り２５０、２５６がミリメートル単位で増加する表示を有し、ユーザが上流側曲げ具１６０と下流側曲げ具１６２の間の垂直方向の間隔を２０ｍｍにしたい場合には、第１の上流側支持部１９０のインジケータ２１２を上流側目盛り２５０の「３０」と位置合わせし、インジケータ２５８を下流側目盛り２５６の「１０」と位置合わせしうる。
【００４５】
いくつかの実施形態において、第１のクロスビーム２４０を、選択的に第１の側脚部２３２に連結しうる。例えば、第１の側脚部２３２は、１つ以上のガイドスロット２６０を形成し、それは、各々、次に第１のクロスビーム２４０に取り付けられる固定部２６２を摺動自在に受け付けるサイズを有しうる。この例示的な構成を用いて、第１のクロスビーム２４０、更に、したがって、支持体１９０、２２０を介して上流側および下流側曲げ具１６０、１６２を、第１の側脚部２３２に対して、したがって、プレート２３０に対して上下させうる。中流部目盛りまたは測定具２６４を、ガイドスロット２６０の１つに近接した第１の側脚部２３２に取り付けうる。第１のクロスビーム２４０上に形成または担持されたインジケータ２６６と、目盛り２６４に含まれた測定に関する情報の関係は、プレート２３０に対する第１のクロスビーム２４０（したがって、曲げ具１６０、１６２）の垂直位置を示しうる。
【００４６】
図４に戻り、上記と同様に第２の上流側支持体１９２および第２の下流側支持体２２２を、選択的に第２のクロスビーム２４２に連結しうる。これらの任意のアセンブリ構成を用いて、第１および第２の上流側支持体１９０、１９２を対応するクロスビーム２４０、２４２に対して選択的に移動させて、第１の曲げ具１６０をプレート２３０に対して垂直方向に上下させうる。いくつかの実施形態において、第２の上流側支持体１９２は、第１の上流側支持体１９０のインジケータ２１２（図５）と同様か同一の（隠れている）インジケータを含むか担持し、第２のクロスビーム２４２は、上記上流側目盛り２５０と同様か同一の上流側目盛り２７０を含むか担持する。第２の上流側支持体インジケータの第２の上流側支持体１９２に沿った垂直位置は、インジケータ２１２の第１の上流側支持体１９０に沿った位置と同様または同一でありうる。第２のクロスビーム２４２に含まれた上流側目盛り２７０に沿った増分表示は、第１のクロスビーム２４０に含まれた上流側目盛り２５０の表示と同様か同一でありうる。第２のクロスビーム２４２の上流側目盛り２７０の垂直位置は、第１のクロスビーム２４０の上流側目盛り２５０と同様または同一でありうる。これらの任意の構成を用いて、上流側支持体１９０、１９２によって決められた上流側曲げ具１６０の反対を向いた端部の垂直位置について、ユーザに視覚的に示しうる。例えば、ユーザが、上流側曲げ具１６０を、ロッド１８０の中心軸が略水平となるように配列したい場合に、プレート２３０が水平に載置されたと仮定すると、第１および第２の上流側支持体１９０、１９２は、対応するクロスビーム２４０、２４２に対して、第１の上流側支持体１９０のインジケータ２１２および第２の支持体１９２のインジケータが、対応する上流側目盛り２５０、２７０に含まれた同じ増分表示と位置合わせされるように配列される。更に、ユーザは、第１および第２の上流側支持体１９０、１９２を、対応する上流側目盛り２５０、２７０に対して選択した異なる垂直位置に配列することによって、水平からの既知の偏差を確立しうる。同様または同一の位置合わせ特徴物を、任意で、下流側支持部１６６に含みうる。
【００４７】
いくつかの実施形態において、第１のクロスビーム２４０と第１の側脚部２３２の間での選択的連結について記載したのと同様に、第２のクロスビーム２４２を、第２の側脚部２３４に選択的に連結しうる。更に、第２のクロスビーム２４２は、第１のクロスビーム２４０のインジケータ２６６（図７Ａ）と同様または同一のインジケータ（隠れている）を含むか担持し、第２の側脚部２３４は、第１の側脚部２３２に関連した中流部目盛り２６４と同一の中流部目盛り（隠れている）を含むか担持しうる。これらの任意の構成を用いて、枠部２３６を側脚部２３２、２３４に対して上下させることによって、上流側および下流側曲げ具１６０、１６２を、まとめて、プレート２３０に対し垂直方向に上下させうる。アーム部２４４、２４６を含む場合には、枠部２３６を全体として扱うためのハンドルとして機能しうる。いずれの場合でも、ユーザに、対応する側脚部２３２、２３４に関する対応する中流部目盛り（例えば、第１の側脚部２３２の中流部目盛り２６４）に対する各クロスビーム２４０、２４２のインジケータ（例えば、第１のクロスビーム２４０のインジケータ２６６）を介して、対応する側脚部２３２、２３４に対するクロスビーム２４０、２４２の垂直方向の位置合わせを視覚的に示しうる。上流側および下流側曲げ具１６０、１６２をまとめて容易に垂直移動させうるか、そうではないかなどの他の載置構成も用いうる。
【００４８】
曲げ具アセンブリ１５０は、任意で、１つ以上の更なる構成要素または特徴物を含みうる。例えば、いくつかの実施形態において、上記調節または測定の１つ以上を、制御部（例えば、プログラマブルロジックコントローラ）またはコンピュータインターフェイスを通して遠隔で行って、曲げ具アセンブリ１５０を、自動化または機械化しうる。
【００４９】
図７は、搬送装置３２’がガラスリボン２２を本開示の原理に基づいて処理する一例を簡略に示している。搬送装置３２’は、上記搬送部装置７０および引張装置７２、並びに、曲げ具アセンブリ１５０を含む。上記記載と同様に、搬送部装置７０は、上流側４０から下流側４２への進行主平面Ｐを確立する。曲げ具アセンブリ１５０は、上流側４０と下流側４２の間に配列されて、上流側曲げ具１６０は、下流側曲げ具１６２の上流側に位置する。曲げ具アセンブリ１５０は、進行主平面Ｐを外れた進行経路を確立し、それは、上流側曲げ具１６０の上を（かつ、接触して）進行し、更に、下流側曲げ具１６２の下を（かつ、接触して）進行するガラスリボン２２を含む。ガラスリボン２２を上流側曲げ具１６０で曲げることで、対応する曲げ応力が、上記のように反りを除去する。いくつかの実施形態において、上流側および下流側曲げ具１６０、１６２は、ガラスリボン２２が高い粘度を有すると予想される位置で、ガラスリボン２２と相互作用するように配置される（例えば、上流側曲げ具１６０との接点でのガラスリボン２２の粘度は、そうではなくガラスリボン２２が重力だけで上流側曲げ具１６０の周りで曲がるのに必要な粘度より高いと予想される）。参考として、ガラスリボン２２を搬送装置３０’に通す処理は、上流側曲げ具１６０を上流側支持部１６４から取り外す処理、ガラスリボン２２を搬送装置３０’に通す処理、次に、上流側曲げ具１６０を上流側支持部１６４に設置する処理を含みうる（図７の進行経路になる）。他の実施形態において、上流側曲げ具１６０を、より不変的に上流側支持部１６４に設置しうる。
【００５０】
図１に戻り、本開示のシステム、並びに、搬送装置および方法は、反りの削減を助ける１つ以上の更なる特徴物を組み込みうる。例えば、搬送部装置７０は、平坦な面を有する台またはプレートを含み、それは、進行主平面Ｐの上流側４０から突出し、ガラスリボン２２との望ましい熱伝達を意図しうる。いくつかの実施形態において、搬送装置３２は、ガラスリボン２２が台の平坦な面と接触するのを防ぐように配置された１つ以上のサスペンションロッド、または、同様の構造物（例えば、グラファイトロッド）を含みうる。意外なことに、進行するガラスリボン２２と細長い平坦な面の接触を防ぐことで、低温面と長く接触することで生じうる大きい縦波（例えば、ガラスリボン２２の長さ方向に延伸する３ｍｍより大きい平坦度偏差）を削減することを見い出した。関連する実施形態において、支持台またはエアテーブルを、（グラファイトの代わりに）Ｚｉｒｃａｒセラミックから形成して、低放射性および低い熱伝導性を提供しうる。その代わりに、または、追加で、ガラスリボン２２を、ガラスリボンの進行経路に垂直に配列されたロッドの上で逆に曲げること、上流側に隣接したサスペンションロッドに、ガラスリボン２２を曲げたり、平坦化させたりするカテナリー部分を備えること、および／または、ロールオンロールの線形の接触を提供する１つ以上の更なるニップ／平坦化ロールを提供して高い局所曲げ圧力を生成することによって、ガラスリボン２２の縁部での反りを削減しうる。
【００５１】
本開示の実施形態および特徴の利点を、更に、以下の限定するものではない例に示すが、これらの例で記載する特定の材料、および、その量、並びに、他の条件および詳細は、本開示の範囲を不当に限定すると解釈されるべきではない。
【実施例】
【００５２】
比較例のガラスシートを、連続したガラスリボンをダウンドロー溶融供給装置から受け付ける搬送装置を含む従来のフュージョンドロー法の製造システムを用いて用意した。搬送装置は、下流側端部にニップローラを含み、ガラスリボンを進行主平面で上流側端部から下流側端部へ搬送した。ガラスリボンは、溶融供給装置から搬送装置へ向かう時に、９０度（垂直から水平へ）向きを変えて、搬送装置を通る間に冷却された。冷却後に、ガラスリボンから、比較例のガラスシートを切断した。比較例のガラスシートは、幅２５０ｍｍで長さ６５０ｍｍだった。次に、比較例のガラスシートの反りを測定し、それを図８に示している。比較例のガラスシートが示した平坦度偏差範囲は、３００マイクロメートルより大きいことが分かった。
【００５３】
実施例のガラスシートを、上記比較例のガラスシートと同じ調合のガラスを用いて用意した。比較例のガラスシートを用意するのに用いた溶融供給装置も用いて、曲げ具が搬送装置に図１の配列と同様に組み込まれた以外は搬送装置も用いて、ガラスリボンに一連の曲がり部を形成した。冷却後に、ガラスリボンから、実施例のガラスシートを切断した。実施例のガラスシートは、幅２５０ｍｍで長さ６５０ｍｍだった。次に、実施例のガラスシートの反りを測定し、それを図９に示している。実施例のガラスシートが示した平坦度偏差範囲は、１００マイクロメートル未満であることが分かった。図８と図９を比べると、全ての他のパラメータが等しい状態で、本開示の搬送装置、システム、および、方法を用いることで平坦度が改良されていることが分かる。
【００５４】
本開示のガラスリボン処理システム、並びに、搬送装置および方法は、これまでの設計および技術を顕著に改良するものである。本開示のいくつかのシステム、装置、および、方法は、異なる粘度で一連の１つ以上の曲がり部を通って、連続して搬送されるガラスリボンの反りを削減する。曲がり部を形成する上向きの力要素は、ガラスリボンを進行基準平面と比べて高い位置に駆動する物理的手段によって加えられうる。この物理的手段は、空気ベアリングを有するか、または、有さない、静止または回転した固体表面であり、摩擦、回転、または、非接触でありうる相互作用を生じうる。曲がり部を形成する下向きの力要素は、粘度が十分に低い場合には重力によって提供されうるか、または、ガラスリボンを低い位置に押しやる機械的手段を用いて提供されうる。ガラスリボン曲げ処理は、ガラスリボンのプロファイルを幅に亘って平坦化する傾向のある応力域を生成する。
【００５５】
本明細書に記載の実施形態に、請求した主題の範囲を逸脱することなく、様々な変更および変形が可能である。したがって、本明細書は、本明細書に記載の様々な実施形態の変更例および変形例も、添付の請求項および等価物の範囲である限りは、網羅することを意図する。
【００５６】
以下、本発明の好ましい実施形態を項分け記載する。
【００５７】
実施形態１
ガラスリボン処理方法において、
ガラスリボンを、供給装置から搬送装置の上流側に供給する工程であって、前記搬送装置は、前記上流側の反対側である該搬送装置の下流側に位置する引張装置、および、該上流側から前記下流側への進行主平面を確立する搬送部装置を有するものである工程と、
引張力を、前記引張装置を用いて、前記ガラスリボンに加えて、該ガラスリボンを進行経路に沿って連続して搬送する工程であって、
前記進行経路は、
前記上流側と前記引張装置の間の第１の位置で、前記進行主平面に対して凸状のカーブを画定する第１の曲がり部と、
前記第１の位置と前記引張装置の間の第２の位置で、前記進行主平面に対して凹状のカーブを画定する第２の曲がり部と、
前記第２の位置と前記引張装置の間の第３の位置で、前記進行主平面に対して凸状のカーブを画定する第３の曲がり部と
を含むものであり、
前記第３の位置と前記進行主平面の間の垂直距離は、前記第１の位置と該進行主平面の間の距離より長く、
更に、前記進行経路は、前記第３の位置の下流側の位置から前記引張装置まで、前記進行主平面に位置するものである工程と
を含む方法。
【００５８】
実施形態２
前記第１、第２、および、第３の曲がり部の少なくとも１つが、前記ガラスリボンの表面に応力を加えて、該ガラスリボンを平坦化するものである、実施形態１に記載の方法。
【００５９】
実施形態３
前記ガラスリボンの前記第１の位置での粘度は、該ガラスリボンの前記第３の位置での粘度と異なるものである、実施形態２に記載の方法。
【００６０】
実施形態４
前記ガラスリボンの前記第１の位置での前記粘度は、該ガラスリボンの前記第３の位置での前記粘度の少なくとも１／１０未満である、実施形態３に記載の方法。
【００６１】
実施形態５
前記ガラスリボンの前記第１の位置での前記粘度は、１×１０８ポアズ以下であり、該ガラスリボンの前記第３の位置での前記粘度は、１×１０８ポアズ以上である、実施形態３に記載の方法。
【００６２】
実施形態６
前記第１の曲がり部は、少なくとも部分的には、前記ガラスリボンと、前記搬送装置に含まれた第１の曲げ具との相互作用によって生じるものである、実施形態１に記載の方法。
【００６３】
実施形態７
前記第１の曲がり部は、更に、少なくとも部分的には、前記ガラスリボンに作用する重力によって生じるものである、実施形態６に記載の方法。
【００６４】
実施形態８
前記第１の曲げ具は、前記進行主平面の上方に位置するベアリング面を含むものであり、前記ガラスリボンは、該進行主平面の上方の前記ベアリング面に接触し、該第１の曲げ具の直ぐ下流側の該進行主平面に向かって進行するものである、実施形態７に記載の方法。
【００６５】
実施形態９
前記第２の曲がり部は、少なくとも部分的には、前記ガラスリボンと、前記搬送装置に含まれた第２の曲げ具との相互作用によって生じるものである、実施形態６に記載の方法。
【００６６】
実施形態１０
前記第２の位置は、前記第１の曲げ具と前記第２の曲げ具の間である、実施形態９に記載の方法。
【００６７】
実施形態１１
前記第２の曲がり部は、更に、少なくとも部分的には、前記ガラスリボンを前記第１の曲げ具と前記第２の曲げ具の間の前記進行主平面に向けるように該ガラスリボンに作用する重力によって生じるものである、実施形態１０に記載の方法。
【００６８】
実施形態１２
前記第３の曲がり部は、少なくとも部分的には、前記ガラスリボンと、前記搬送装置に含まれた第３の曲げ具との相互作用によって生じるものである、実施形態９に記載の方法。
【００６９】
実施形態１３
前記ガラスリボンは、第２の主面の反対側である第１の主面を含み、前記第１の主面は、前記第１および第２の曲げ具と相互作用し、前記第２の主面は、前記第３の曲げ具と相互作用するものである、実施形態１２に記載の方法。
【００７０】
実施形態１４
前記ガラスリボンを供給する工程は、該ガラスリボンを、垂直方向に前記供給装置から前記上流側へ向ける工程を含むものである、実施形態１に記載の方法。
【００７１】
実施形態１５
前記ガラスリボンを供給する工程は、更に、該ガラスリボンを、前記垂直方向から前記上流側へ向きを変える工程を含むものである、実施形態１４に記載の方法。
【００７２】
実施形態１６
ガラスリボン処理システムにおいて、
搬送装置を
含み、
前記搬送装置は、
上流側から前記上流側の反対側である下流側への進行主平面を確立する搬送部装置と、
前記下流側に位置し、ガラスリボンを進行経路に沿って搬送する引張装置と、
前記上流側に近接した第１の曲げ具と、
前記第１の曲げ具と前記下流側の間の第２の曲げ具であって、前記第２の曲げ具と前記進行主平面の間の垂直距離は、該第１の曲げ具と該進行主平面の間の垂直距離より長いものである第２の曲げ具と、
前記第２の曲げ具と前記下流側の間の第３の曲げ具であって、前記第３の曲げ具と前記進行主平面の間の垂直距離は、該第２の曲げ具と該進行主平面の間の垂直距離より長いものである第３の曲げ具と
を含むものであり、
前記第１、第２、および、第３の曲げ具は、前記進行経路を確立するものであり、該進行経路は、
前記上流側と前記引張装置の間の第１の位置で、前記進行主平面に対して凸状のカーブを画定する第１の曲がり部と、
前記第１の位置と前記引張装置の間の第２の位置で、前記進行主平面に対して凹状のカーブを画定する第２の曲がり部と、
前記第２の位置と前記引張装置の間の第３の位置で、前記進行主平面に対して凸状のカーブを画定する第３の曲がり部と
を含み、
更に、前記進行経路は、前記第３の位置の下流側の位置から前記引張装置まで、前記進行主平面に位置するものであるシステム。
【００７３】
実施形態１７
前記第１、第２、および、第３の曲げ具は、各々、前記進行経路に沿って搬送されている連続したガラスリボンと線接触を確立するように構成されたものである、実施形態１６に記載のシステム。
【００７４】
実施形態１８
前記第１の曲げ具と前記第２の曲げ具の間の水平距離は、該第２の曲げ具と前記第３の曲げ具の間の水平距離より長いものである、実施形態１６に記載のシステム。
【００７５】
実施形態１９
前記第１、第２、および、第３の曲げ具の少なくとも１つは静止したものである、実施形態１６に記載のシステム。
【００７６】
実施形態２０
ガラスリボンを処理する曲げ具アセンブリにおいて、
上流側曲げ具と、
下流側曲げ具と、
前記上流側曲げ具の反対を向いた端部を支持する上流側支持部と、
前記下流側曲げ具の反対を向いた端部を支持する下流側支持部と、
プレート、前記プレートの反対を向いた端部から突出する第１の側脚部および第２の側脚部、前記第１の側脚部に接続した第１のクロスビーム、並びに、前記第２の側脚部に接続した第２のクロスビームを含み、前記第１および第２のクロスビームが、前記上流側および下流側支持部を、該プレートに対して支持するものである基部と
を含み、
前記上流側および下流側曲げ具の少なくとも１つの前記反対を向いた端部の少なくとも１つは、プレートに対して選択的に移動自在である曲げ具アセンブリ。
【符号の説明】
【００７７】
２２  ガラスリボン
３０  ガラスリボン供給装置
３２  搬送装置
６８  基部
７０  搬送部装置
７２  引張装置
７４、７６、７８  曲げ具
８０、９０、９２  ローラ
１００  第１の曲がり部
１０２  第２の曲がり部
１０４  第３の曲がり部
１５０  曲げ具アセンブリ
１６０  上流側曲げ具
１６２  下流側曲げ具
１６４  上流側支持部
１６６  下流側支持部
２４０、２４２  クロスビーム
【図１】
2021501114.tif 000003
【図２】
2021501114.tif 000004
【図３】
2021501114.tif 000005
【図４】
2021501114.tif 000006
【図５】
2021501114.tif 000007
【図６Ａ】
2021501114.tif 000008
【図６Ｂ】
2021501114.tif 000009
【図７】
2021501114.tif 000010
【図８】
2021501114.tif 000011
【図９】
2021501114.tif 000012
【国際調査報告】
2021501114.tif 000013
2021501114.tif 000014
2021501114.tif 000015
2021501114.tif 000016